(57)【要約】      （修正有）【課題】ポンプモータとインバータとを収容したケーシングを有する微細気泡供給装置において、そのポンプモータとインバータとを効率よく冷却して、微細気泡供給装置の耐久性を向上させる。【解決手段】ポンプモータ２２を冷却する吸気ファン２１とポンプモータ２２とインバータ４０の放熱フィン４１をケーシング１０の後側板６ｂ寄りに配置し、排気ファンをケーシング１０の前側板６ｂ寄りに配置するとともに、ケーシング１０には、吸気ファン２１の近傍に第１通気口部を、排気ファンの近傍に第２通気口部２を、放熱フィン４１の近傍に第３通気口部３をそれぞれ形成する。【選択図】図３
2010154960.tif 000002
【特許請求の範囲】
【請求項１】
ポンプ機構（20）と該ポンプ機構（20）を駆動するポンプモータ（22）と該ポンプモータ（22）の回転数を増減するインバータ（40）とを収容したケーシング（10）を有する微細気泡供給装置であって、
上記ケーシング（10）は、第１面（6a）と、該第１面（6a）に対向する第２面（6b）と、該ケーシング（10）内に開口する第１から第３の通気口部（2,3,4）とを有し、
上記ケーシング（10）内に吸入した空気で上記ポンプモータ（22）を冷却する吸気ファン（21）と上記ポンプモータ（22）と上記インバータ（40）を冷却するための放熱フィン（41）とが上記第１面（6a）寄りに配置され、上記ポンプモータ（22）と上記インバータ（40）とを冷却した空気を排出する排気ファン（9）が上記第２面（6b）寄りに配置されるとともに、
上記第１通気口部（4）は上記吸気ファン（21）の近傍に位置し、上記第２通気口部（2）は上記排気ファン（9）の近傍に位置し、上記第３通気口部（3）は上記インバータ（40）における放熱フィン（41）の近傍に位置していることを特徴とする微細気泡供給装置。
【請求項２】
請求項１において、
上記第１面（6a）と上記第２面（6b）とを上記ケーシング（10）の側面とするときに、
上記ポンプモータ（22）と上記放熱フィン（41）とが、上下又は左右に偏倚していることを特徴とする微細気泡供給装置。
【発明の詳細な説明】
【技術分野】
【０００１】
本発明は、ポンプモータとインバータとを収容したケーシングを有する微細気泡供給装置に関するものである。
【背景技術】
【０００２】
従来より、液体に気体を溶解させて気体溶解水とし、その気体溶解水を水槽等へ供給する微細気泡供給装置が知られている。
【０００３】
特許文献１に開示された微細気泡供給装置は、微細な空気の気泡を含んだ水を浴槽に供給するものである。具体的に、上記微細気泡供給装置は、入口と出口とがそれぞれ浴槽に接続された循環流路を備えている。
【０００４】
この循環流路には、上流側から順に空気導入器と循環ポンプと気体溶解器と気泡発生器とが接続されている。ここで、上記空気導入器は、循環流路内へ気泡源となる空気を外部から導入するものであり、上記循環ポンプは、浴槽の水を循環流路で循環させるためのものである。又、上記気体溶解器は、空気導入器で混入させた空気を水に溶解させるためのものであり、気泡発生器は、微細な気泡を発生させるためのものである。尚、上記気泡発生器は、その流出口が浴槽に開口するように設置されている。
【０００５】
この微細気泡供給装置では、循環ポンプを起動させると、浴槽の水が空気導入器に流入する。上記空気導入器に流入した水は、外部から吸い込まれた空気とともに上記循環ポンプを経て気体溶解器に流入する。
【０００６】
上記気体溶解器に流入した水と空気は、該気体溶解器内で攪拌混合されて空気が水に溶解して気体溶解水となった後で、該気体溶解器を流出する。上記気体溶解器を流出した気体溶解水は、上記気泡発生器に流入し、該気泡発生器で減圧する際に、水に溶解した空気が析出して微細な気泡となる。そして、この微細な気泡を含む水が浴槽へ供給される。
【特許文献１】特開２００５−９５８７８号公報
【発明の開示】
【発明が解決しようとする課題】
【０００７】
ところで、上記微細気泡供給装置を浴室の近くに配置し、上記微細気泡供給装置のケーシング内に上記空気導入器と上記循環ポンプと上記気体溶解器とをコンパクトに収容することが考えられる。しかしながら、これらの機器をケーシング内にコンパクトに収容した場合、上記循環ポンプの起動中に、該循環ポンプのポンプモータから発生した熱でケーシング内が高温になること考えられる。又、このポンプモータの回転数を増減するインバータをケーシング内に収容したとすると、そのインバータで発生した熱でさらにケーシング内が高温になるという問題がある。
【０００８】
本発明は、かかる点に鑑みてなされたものであり、その目的は、ポンプ機構を駆動するポンプモータと該ポンプモータの周波数を増減するインバータとを収容したケーシングを有する微細気泡供給装置において、そのケーシング内のポンプモータとインバータとを効率よく冷却して、該微細気泡供給装置の耐久性を向上させることにある。
【課題を解決するための手段】
【０００９】
第１の発明は、ポンプ機構（20）と該ポンプ機構（20）を駆動するポンプモータ（22）と該ポンプモータ（22）の回転数を増減するインバータ（40）とを収容したケーシング（10）を有する微細気泡供給装置を前提としている。
【００１０】
そして、上記微細気泡供給装置において、上記ケーシング（10）は、第１面（6a）と、該第１面（6a）に対向する第２面（6b）と、該ケーシング（10）内に開口する第１から第３の通気口部（2,3,4）とを有し、上記ケーシング（10）内に吸入した空気で上記ポンプモータ（22）を冷却する吸気ファン（21）と上記ポンプモータ（22）と上記インバータ（40）を冷却するための放熱フィン（41）とが上記第１面（6a）寄りに配置され、上記ポンプモータ（22）と上記インバータ（40）とを冷却した空気を排出する排気ファン（9）が上記第２面（6b）寄りに配置されるとともに、上記第１通気口部（4）は上記吸気ファン（21）の近傍に位置し、上記第２通気口部（2）は上記排気ファン（9）の近傍に位置し、上記第３通気口部（3）は上記インバータ（40）における放熱フィン（41）の近傍に位置していることを特徴としている。
【００１１】
第１の発明では、上記吸気ファン（21）と上記排気ファン（9）とが起動すると、上記第１通気口部（4）を通じてケーシング（10）の外側から内側へ空気が吸い込まれ、上記第３通気口部（3）を通じてケーシング（10）の外側から内側へ空気が吸い込まる。
【００１２】
上記第１通気口部（4）から吸い込まれた空気は、該第１通気口部（4）の近傍にあるポンプモータ（22）を冷却した後で上記第２通気口部（2）から排出される。又、上記第３通気口部（3）から吸い込まれた空気は、該第３通気口部（3）の近傍にあるインバータ（40）の放熱フィン（41）を冷却した後で上記第２通気口部（2）から排出される。
【００１３】
ここで、仮に、上記放熱フィン（41）が第１面（6a）と第２面（6b）との中間に配置されているとすると、上記第１通気口部（4）から見て、上記ポンプモータ（22）の下流側に上記放熱フィン（41）が配置されることになる。こうなると、上記ポンプモータ（22）を冷却した空気が上記放熱フィン（41）に接触しやすくなる。
【００１４】
第１の発明では、空気冷却の対象となる上記ポンプモータ（22）及び上記放熱フィン（41）の両方を第１面（6a）寄りに設置するようにしたので、上記第１通気口部（4）を通過してポンプモータ（22）を冷却した空気が、上記インバータ（40）の放熱フィン（41）に接触しにくくなる。又、上記第３通気口部（3）を通過して上記インバータ（40）の放熱フィン（41）を冷却した空気も、上記ポンプモータ（22）に接触しにくくなる。
【００１５】
第２の発明は、第１の発明において、上記第１面（6a）と上記第２面（6b）とを上記ケーシング（10）の側面とするときに、上記ポンプモータ（22）と上記放熱フィン（41）とが、上下又は左右に偏倚していることを特徴としている。
【００１６】
第２の発明では、上記ケーシング（10）の側面となる上記第１面（6a）又は上記第２面（6b）から見て、上記ポンプモータ（22）と上記放熱フィン（41）とが第１面（6a）寄りに位置したまま、互いに上下又は左右に遠ざかる。つまり、上記ポンプモータ（22）及び上記放熱フィン（41）のどちらか一方が他方の下流に位置することなく、互いに上下又は左右へ離れる。
【００１７】
これにより、上記第１通気口部（4）を通過してポンプモータ（22）を冷却した空気は、該ポンプモータ（22）から離れた放熱フィン（41）にさらに接触しにくくなり、上記第３通気口部（3）を通過して上記放熱フィン（41）を冷却した空気は、該放熱フィン（41）から離れた上記ポンプモータ（22）にさらに接触しにくくなる。
【発明の効果】
【００１８】
本発明によれば、上記第１通気口部（4）を通過してポンプモータ（22）を冷却した空気は、上記インバータ（40）の放熱フィン（41）に接触しにくくなり、上記第３通気口部（3）を通過して上記インバータ（40）の放熱フィン（41）を冷却した空気は、上記ポンプモータ（22）に接触しにくくなる。これにより、上記吸気ファン（21）と上記排気ファン（9）とで、ポンプモータ（22）とインバータ（40）とを効率よく冷却することができ、上記微細気泡供給装置の耐久性を向上させることができる。
【００１９】
また、上記第２の発明によれば、上記ポンプモータ（22）及び上記放熱フィン（41）のどちらか一方が他方の下流に位置することなく、互いに上下又は左右へ離れる。これにより、上記第１通気口部（4）を通過してポンプモータ（22）を冷却した空気は、上記インバータ（40）の放熱フィン（41）により接触しにくくなり、上記第３通気口部（3）を通過して上記インバータ（40）の放熱フィン（41）を冷却した空気は、上記ポンプモータ（22）により接触しにくくなる。
【００２０】
これにより、ポンプモータ（22）及びインバータ（40）を、さらに効率よく冷却することができ、上記微細気泡供給装置の耐久性をさらに向上させることができる。
【発明を実施するための最良の形態】
【００２１】
以下、本発明の実施形態を図面に基づいて詳細に説明する。
【００２２】
まず、本実施形態に係る微細気泡供給装置の全体構成について説明し、次に微細気泡供給装置のケーシング内に収容された加圧ポンプ（ポンプ機構）（20）とインバータ（40）との冷却について説明する。
【００２３】
〈微細気泡供給装置の全体構成〉
本実施形態の微細気泡供給装置（1）は、風呂の浴槽（34）に微細な気泡を含んだ水を供給するための装置である。この微細気泡供給装置（1）は、図１に示すように、水流路（35）を有し、この水流路（35）の一端は上記浴槽（34）の流出口に接続され、他端は上記浴槽（34）の流入口に取り付けられた気泡発生器（33）に接続されている。そして、この水流路（35）には、流量スイッチ（15）と加圧ポンプ（20）と溶解タンク（30）とが接続されている。
【００２４】
具体的に、図２及び図３に示すように、上記浴槽（34）の流出口に接続された水配管と上記流量スイッチ（15）の入口側とは上記水流路（35）の第１配管（12）で接続されている。上記流量スイッチ（15）の出口側と上記加圧ポンプ（20）の吸入口に設けられた吸入配管（23）とは上記水流路（35）の第２配管（14）で接続されている。
【００２５】
上記加圧ポンプ（20）の吐出口に設けられた吐出配管（22）と上記溶解タンク（30）の流入口に設けられた流入管（31）とは上記水流路（35）の第３配管（13）で接続されている。上記溶解タンク（30）の流出口と上記気泡発生器（33）の流入口に接続された水配管とは上記水流路（35）の第４配管（11）で接続されている。
【００２６】
又、上記微細気泡供給装置（1）は空気流路（16）を有し、この空気流路（16）の一端は上記加圧ポンプ（20）に設けられた吸気孔（24）に接続され、他端は分岐して一方はエアフィルタ（26）を介して上記ケーシング（10）内に開口し、他方は上記溶解タンク（30）に取り付けられた排気弁（32）側に開口している。ここで、上記空気流路（16）の他端であって、上記エアフィルタ（26）側に開口している部分が空気吸入口を構成し、上記排気弁（32）側に開口している部分が空気排気口を構成している。
【００２７】
又、上記空気流路（16）における上記吸気孔（24）と分岐部分との間には、逆止弁（27）と空気流量調整弁（28）とが接続されている。尚、上記逆止弁（27）は、上記空気流路（16）における分岐部分から上記吸気孔（24）へ向かう空気流れのみを許容する向きに取り付けられている。
【００２８】
上記流量スイッチ（15）は、該流量スイッチ（15）を通過する水の流量が所定量以下であるか否かを検知するものである。この流量スイッチ（15）を通過する水の流量が所定量以下であれば、上記加圧ポンプ（20）を強制停止させるように構成されている。
【００２９】
上記加圧ポンプ（20）は、そのケーシング内にポンプ部（図示なし）と電動機（22）とを収容している。上記電動機（22）の回転軸（25）は、該電動機（22）の両側に延びており、その回転軸（25）の一端は上記ポンプ部の内部に形成されたポンプ室のインペラに接続され、他端は上記加圧ポンプ（20）のケーシングを貫通して外部に露出している。その露出した他端、つまり上記加圧ポンプ（20）の背面側に吸気ファン（21）が取り付けられている。又、上記加圧ポンプ（20）には、上記吸気ファン（21）の外側にファンカバー（36）が取り付けられている。
【００３０】
又、上記ポンプ部のポンプ室は、上記加圧ポンプ（20）の吸入口と吐出口とに連通しており、このポンプ室と吸入口との間の空間に上記加圧ポンプ（20）の吸気孔（24）が連通している。そして、上記加圧ポンプ（20）の吸入口からポンプ室への水流により発生する負圧を利用して上記吸気孔（24）から空気を吸入する。この空気が上記微細気泡供給装置の気泡源となる。又、上記加圧ポンプ（20）の吐出口寄りには、該加圧ポンプ（20）の吐出圧を検知する圧力センサ（29）が取り付けられている。
【００３１】
上記溶解タンク（30）は、両端を閉塞した縦長円筒状の容器に形成されている。上記溶解タンク（30）における天板の中心部分に上記流入口が形成され、上記流入口の外側には排気口が形成されている。この排気口に上記排気弁（32）が接続されている。又、上記溶解タンク（30）の側周面の下側部分に上記流出口が形成されている。
【００３２】
上記溶解タンク（30）の内部には、気体溶解室と該気体溶解室に連通する気液分離室とが形成されており、上記気体溶解室が上記流入口に連通し、上記気液分離室は上記流出口と上記排気口に連通している。上記気体溶解室は、気液混合流体中の気体を液体に溶解させて気体溶解液とするものであり、上記気液分離室は、上記気体溶解室で生成した気体溶解液から余剰気体を分離するものである。又、上記溶解タンク（30）の流入口には、上記気体溶解室に臨むように噴射ノズルが取り付けられている。
【００３３】
上記気泡発生器（33）は、その出口側が浴槽（34）の流出口に開口するように設置されている。この気泡発生器（33）の内部には、絞り部と拡大部とが形成された水通路が形成されている。
【００３４】
−微細気泡供給装置の運転動作−
次に、上記微細気泡供給装置（1）の運転動作について説明する。この微細気泡供給装置（1）では、上記加圧ポンプ（20）の電動機（22）が起動すると、上記浴槽（34）の水が該浴槽（34）の流出口から流出して、上記流量スイッチ（15）を経て上記吸入配管（23）から、加圧ポンプ（20）のポンプ部に流入する。
【００３５】
上記ポンプ部に流入した水がポンプ室に流入する際に、上記空気流路（16）の空気吸入口から吸い込まれた空気が、上記エアフィルタ（26）と上記空気流量調整弁（28）とを経て上記加圧ポンプ（20）の吸気孔（24）より流入する。そして、その空気とポンプ室に流入しようとする水とが混合して気液混合水となり、該気液混合水がポンプ室に流入する。尚、上記空気流路（16）の空気吸入口から吸い込まれる空気の流量は、上記空気流量調整弁（28）で調整される。
【００３６】
上記ポンプ室に流入した気液混合水は、上記インペラの回転により加圧された後で上記加圧ポンプ（20）の吐出配管（22）から流出し、上記第３配管（13）を経て溶解タンク（30）に流入する。
【００３７】
上記溶解タンク（30）に流入した気液混合水は、上記噴射ノズルから上記気体溶解室に貯留された水に噴射され、該気体溶解室で気泡が発生するとともにその気泡の大部分が水に溶解して、気泡溶解水となる。そして、この気泡溶解水と、水に溶解しきれなかった気泡とが上記気液分離室で分離される。上記気泡溶解水は、上記溶解タンク（30）から流出し、上記第４配管（11）を経て上記気泡発生器（33）に流入する。一方、水に溶解しきれなかった気泡は、上記空気流路（16）を経て上記排気弁（32）から排出される。
【００３８】
上記気泡発生器（33）へ流入した気体溶解液は、絞り部を通過する際に減圧される。それにより、水中に溶解した空気が析出し、水中で微細な気泡が発生する。その後、気泡を含む水は、上記浴槽（34）内へ噴出される。これにより、浴槽（34）の水中に多数の微細気泡が浮遊し、水が白濁状態となる。
【００３９】
〈加圧ポンプの電動機とインバータとの冷却〉
上記微細気泡供給装置（1）は、直方体状のケーシング（10）を有しており、このケーシング（10）には、上述した加圧ポンプ（20）等の構成要素のうち気泡発生器（33）以外のものが収容されている。上記ケーシング（10）は、図２、図３に示すように、前側板（6b）と後側板（6a）と右側板（5b）と左側板（5a）と天板（7）と底板（8）を有している。尚、上記後側板（6a）が第１面を構成し、上記前側板（6b）が第１面に対向する第２面を構成する。
【００４０】
上記ケーシング（10）内には、図２に示すように、左奥側に上記加圧ポンプ（20）が配置され、該加圧ポンプ（20）の右側に溶解タンク（30）が配置されている。上記加圧ポンプ（20）及び上記溶解タンク（30）は、いずれも上記底板（8）に固定されている。又、図３に示すように、上記加圧ポンプ（20）の上側には、電装品箱（50）とインバータ（40）とが配置されている。つまり、上記加圧ポンプ（20）と上記インバータ（40）とは、上記後側板（6a）寄りに配置されている。
【００４１】
上記電装品箱（50）は、図２に示すように、上記ケーシング（10）内の左奥側に位置し、上記ケーシング（10）の右側板（5b）と後側板（6a）とに跨って取り付けられている。そして、上記電装品箱（50）の中には、ノイズフィルタ、フェーズ、電源線、アース線端子台等が収納されている。
【００４２】
上記インバータ（40）は、図２に示すように、上記ケーシング（10）内の右手前側に位置し、上記ケーシング（10）の左側板（5a）と後側板（6a）とに跨って取り付けられている。そして、上記インバータ（40）は、上記加圧ポンプ（20）のポンプモータ（22）の回転数を増減するためのものである。このインバータ（40）で発生した熱を放出するための放熱フィン（41）が、上記インバータ（40）の右側から露出している。つまり、上記加圧ポンプ（20）のポンプモータ（22）と上記インバータ（40）とは、上記後側板（6a）寄りで、互いに上下、左右に偏倚している。
【００４３】
又、図４に示すように、上記ケーシング（10）の後側板（6a）には、その下側部分の左寄りに第１通気口部（4）が形成されている。尚、上記ケーシング（10）内における第１通気口部（4）の近傍には上記加圧ポンプ（20）の吸気ファン（21）があり、該吸気ファン（21）の吸入口と第１通気口部（4）とは互いに対向している。
【００４４】
又、図５に示すように、上記ケーシング（10）の左側板（5a）には、その上側部分の左寄りに第３通気口部（3）が、該第３通気口部（3）の右側であって上記前側板（6b）寄りに第２通気口部（2）がそれぞれ形成されている。上記第２通気口部（2）には、該第２通気口部（2）を通じてケーシング（10）内の空気を外部へ排出する排気ファン（9）が取り付けられている。つまり、上記排気ファン（9）は上記前側板（6b）寄りに配置されている。
【００４５】
そして、上記吸気ファン（21）と上記排気ファン（9）とが起動すると、上記第１通気口部（4）を通じてケーシング（10）の外側から内側へ空気が吸い込まれ、上記第３通気口部（3）を通じてケーシング（10）の外側から内側へ空気が吸い込まる。
【００４６】
上記第１通気口部（4）から吸い込まれた空気は、上記加圧ポンプ（20）のファンカバー（36）に形成された通風口を通過し、上記吸気ファン（21）から吹き出される。上記吸気ファン（21）から吹き出された空気は、上記加圧ポンプ（20）の外周面を沿うように流れる。この際に、上記加圧ポンプ（20）に内蔵された電動機（22）が冷却される。そして、上記電動機（22）を冷却した空気は上記溶解タンク（30）に達し、該溶解タンク（30）の外周面に沿って上昇した後で上記排気ファン（9）に吸い込まれて上記第２通気口部（2）を通じてケーシング（10）の外側へ排出される。
【００４７】
一方、上記第３通気口部（3）から吸い込まれた空気は、上記インバータ（40）から露出した放熱フィン（41）に沿うように流れる。この際に、上記放熱フィン（41）が冷却される。そして、上記放熱フィン（41）を冷却した空気は、上記排気ファン（9）に吸い込まれて上記第２通気口部（2）を通じてケーシング（10）の外側へ排出される。
【００４８】
−実施形態の効果−
本実施形態によれば、空気冷却の対象となる上記加圧ポンプ（20）のポンプモータ（22）及び上記インバータ（40）の放熱フィン（41）の両方を後側板（6a）寄りに設置し、上記排気ファン（9）を前側板（6b）寄りに設置したので、上記第１通気口部（4）を通過してポンプモータ（22）を冷却した空気が、上記放熱フィン（41）に接触しにくくなる。又、上記第３通気口部（3）を通過して上記放熱フィン（41）を冷却した空気も、上記ポンプモータ（22）に接触しにくくなる。これにより、上記吸気ファン（21）と上記排気ファン（9）とで、上記ポンプモータ（22）及びインバータ（40）を効率よく冷却することができ、上記微細気泡供給装置の耐久性を向上させることができる。
【００４９】
また、本実施形態によれば、上記後側板（6a）側からケーシング（10）内を見て、上記ポンプモータ（22）と上記放熱フィン（41）とが後側板（6a）寄りに位置したまま、互いに上下方向又は左右方向に遠ざかるように配置されている。つまり、上記ポンプモータ（22）及び上記放熱フィン（41）のどちらか一方が他方の下流に位置することなく、互いに上下又は左右へ離れている。このことから、上記第１通気口部（4）を通過してポンプモータ（22）を冷却した空気は、該ポンプモータ（22）から離れた放熱フィン（41）にさらに接触しにくくなり、上記第３通気口部（3）を通過して上記放熱フィン（41）を冷却した空気は、該放熱フィン（41）から離れた上記ポンプモータ（22）にさらに接触しにくくなる。
【００５０】
これにより、ポンプモータ（22）及びインバータ（40）を、さらに効率よく冷却することができ、上記微細気泡供給装置の耐久性をさらに向上させることができる。
【００５１】
《その他の実施形態》
上記実施形態については、以下のような構成としてもよい。
【００５２】
上記実施形態では、上記加圧ポンプ（20）のポンプモータ（22）が上記右側板（5b）寄りに、上記インバータ（40）の放熱フィン（41）が上記左側板（5a）寄りに配置されているが、上記ポンプモータ（22）と上記放熱フィン（41）とが共に上記後側板（6a）寄りであれば、その両者の位置は入れ替わってもよい。
【００５３】
又、上記実施形態では、上記後側板（6a）が第１面を構成し、上記前側板（6b）が第２面を構成していたが、上記後側板（6a）が第２面を構成し、上記前側板（6b）が第１面を構成してもよい。
【００５４】
又、上記実施形態では、上記ケーシング（10）を直方体で形成したが、これに限定されず、直方体以外の形状であってもよい。
【００５５】
なお、以上の実施形態は、本質的に好ましい例示であって、本発明、その適用物、あるいはその用途の範囲を制限することを意図するものではない。
【産業上の利用可能性】
【００５６】
以上説明したように、本発明は、微細気泡供給装置のケーシングに収容された電気部品の冷却について有用である。
【図面の簡単な説明】
【００５７】
【図１】実施形態１に係る微細気泡供給装置の構成を示す配管系統図である。
【図２】実施形態１に係る微細気泡供給装置の上面図である。
【図３】実施形態１に係る微細気泡供給装置の左側面図である。
【図４】微細気泡供給装置におけるケーシングの背面図である。
【図５】微細気泡供給装置におけるケーシングの左側面図である。
【図６】微細気泡供給装置の上面図に空気の流れを示した図である。
【図７】微細気泡供給装置の左側面図に空気の流れを示した図である。
【符号の説明】
【００５８】
1  微細気泡供給装置
9  排気ファン
10  ケーシング
20  加圧ポンプ
21  吸気ファン
30  溶解タンク
40  インバータ
50  第１電装品箱
【図１】
2010154960.tif 000003
【図２】
2010154960.tif 000004
【図３】
2010154960.tif 000005
【図４】
2010154960.tif 000006
【図５】
2010154960.tif 000007
【図６】
2010154960.tif 000008
【図７】
2010154960.tif 000009